(57)【特許請求の範囲】
【請求項１】
本体底部両側に外方に突出して固定用ネジの貫通孔が形成された固定用平坦部を有する電源トランス等の大型部品を、プリント回路板に固定するのに用いる取り付け用カバーであって、
前記大型部品の本体上部において、前記固定用平坦部を有する両側に亘って係合する上部係合部と、
この上部係合部の両端部にそれぞれ結合して設けられ、前記プリント回路板に接する底部平坦部の幅が、前記上部係合部の幅よりも大きい台形状の二つの側面部と、
その各側面部の前記底部平坦部の下面に形成され、前記大型部品の対応する側の前記固定用平坦部が係合する凹部と、
各凹部において、対応する前記固定用平坦部に形成された前記貫通孔に連通するように前記底部平坦部に形成したネジ穴とを有し、
前記上部係合部を前記大型部品の本体上部に、前記各凹部を前記大型部品の対応する側の前記固定用平坦部に係合させた状態で、少なくとも前記各凹部において前記底部平坦部と前記プリント回路板との間に前記固定用平坦部を挟むように、前記ネジ穴および前記貫通孔を通して固定用ネジを挿入して、前記大型部品を前記プリント回路板にネジ止めし得るよう構成したことを特徴とする大型部品の取り付け用カバー。
【請求項２】
請求項１記載の大型部品の取り付け用カバーにおいて、
前記底部平坦部の前記凹部以外にもネジ穴を形成し、このネジ穴を通して該取り付け用カバーを前記プリント回路板にネジ止めし得るよう構成したことを特徴とする大型部品の取り付け用カバー。
【請求項３】
請求項１または２記載の大型部品の取り付け用カバーにおいて、
前記底部平坦部の幅を、前記大型部品の前記固定用平坦部を有する側面の幅よりも大きくしたことを特徴とする大型部品の取り付け用カバー。
【発明の詳細な説明】
【０００１】
【発明の属する技術分野】
この発明は、電源トランス等の大型部品をプリント回路板に実装するのに用いる取り付け用カバーに関するものである。
【０００２】
【従来の技術】
例えば、宅内で使用される移動用、卓上設置用、壁掛け用等の端末装置は、近年小型化が進み、電源トランス等の大型部品も、設置スペース等の理由により電子部品を実装するプリント回路板に直接実装する必要が生じている。
【０００３】
この種の大型部品、例えば電源トランスにあっては、図５（ａ）に斜視図を、図５（ｂ）に側面図を示すように、電源トランス１を構成するヨークを覆うようにケース２を設け、このケース２の本体底部両側をそれぞれ外方に突出させて固定用平坦部３を形成し、各固定用平坦部３の中央部に固定用ネジ４の貫通孔５を形成するようにしている。また、電源トランス１の底部で、固定用平坦部３を有しない両側縁部には、電源トランス１を構成するコイルに接続して複数のリードピン６を配設している。
【０００４】
したがって、かかる電源トランス１を種々の電子部品が実装されるプリント回路板７に実装するにあたっては、複数のリードピン６をプリント回路板７の所定のスルーホール８に挿入し、ケース５の突出する固定用平坦部３の貫通孔５に、プリント回路板７に形成した穴（図示せず）を通して固定用ネジ４を挿入して、電源トランス１をプリント回路板７にネジ止めすることになる。なお、リードピン３は、プリント回路板７の所定の配線パターンのランド部に半田付けする。
【０００５】
【発明が解決しようとする課題】
しかしながら、図５に示す固定構造にあっては、例えば、設置工事者やユーザーが誤って端末装置を落下させた場合、電源トランス１の重量による負荷に対して、リードピン６を有する側面のほぼ法線方向（リード側面方向）では、リードピン６の半田付けのみで対応し、リード側面方向とほぼ直交する方向（リード配列方向）では、その幅方向中央部においてそれぞれ固定用平坦部３の一箇所で固定した固定用ネジ４で対応することになる。
【０００６】
このため、例えばリード側面方向に負荷がかかると、電源トランス１が図６に示すようになって、リードピン６の半田付け部分および固定用ネジ４の取り付け部分でプリント回路板７が割れてパターンの断線が生じるという問題があると共に、リードピン６が電源トランス１の本体から抜けて断線する等の電源トランス自体が損傷するという問題がある。
【０００７】
このような問題を解決する方法として、例えば、図７に示すように、リード側面方向にも、その幅方向中央部に電源トランス１の外形に沿って折り曲げてカバー９を設け、このカバー９の両端部を固定用平坦部１０として固定用ネジ４によりそれぞれプリント回路板７にネジ止めすることが考えられる。しかし、この場合には、リード側面方向の負荷に対する安定性は向上できるが、リードピンを有する側面側でカバー９の固定用平坦部１０を固定することになるため、パターン配線に制約が生じ、理想的なパターン配線ができなくなるという問題が生じることになる。
【０００８】
この発明は、このような従来の問題点に着目してなされたもので、端末装置のプリント回路板に電源トランス等の大型部品を取り付けるにあたって、プリント回路板のパターン配線にほとんど影響を与えることなく、しかも端末装置の落下等の衝撃により大型部品に負荷が作用しても、プリント回路板の破損、パターンの断線、および大型部品自体の破損を生じることなく安定して取り付けることができる大型部品の取り付け用カバーを提供することを目的とするものである。
【０００９】
【課題を解決するための手段】
上記目的を達成するため、この発明は、本体底部両側に外方に突出して固定用ネジの貫通孔が形成された固定用平坦部を有する電源トランス等の大型部品を、プリント回路板に固定するのに用いる取り付け用カバーであって、前記大型部品の本体上部において、前記固定用平坦部を有する両側に亘って係合する上部係合部と、この上部係合部の両端部にそれぞれ結合して設けられ、前記プリント回路板に接する底部平坦部の幅が、前記上部係合部の幅よりも大きい台形状の二つの側面部と、その各側面部の前記底部平坦部の下面に形成され、前記大型部品の対応する側の前記固定用平坦部が係合する凹部と、各凹部において、対応する前記固定用平坦部に形成された前記貫通孔に連通するように前記底部平坦部に形成したネジ穴とを有し、前記上部係合部を前記大型部品の本体上部に、前記各凹部を前記大型部品の対応する側の前記固定用平坦部に係合させた状態で、少なくとも前記各凹部において前記底部平坦部と前記プリント回路板との間に前記固定用平坦部を挟むように、前記ネジ穴および前記貫通孔を通して固定用ネジを挿入して、前記大型部品を前記プリント回路板にネジ止めし得るよう構成したことを特徴とするものである。
【００１０】
この発明の一実施形態においては、前記底部平坦部の前記凹部以外にもネジ穴を形成し、このネジ穴を通して該取り付け用カバーを前記プリント回路板にネジ止めし得るよう構成する。
このようにすれば、大型部品をより確実にプリント回路板に取り付けることが可能となる。
【００１１】
さらに、この発明の一実施形態においては、前記底部平坦部の幅を、前記大型部品の前記固定用平坦部を有する側面の幅よりも大きくする。
このようにすれば、大型部品をより安定性良くプリント回路板に取り付けることが可能となる。
【００１２】
【発明の実施の形態】
図１は、この発明に係る大型部品の取り付け用カバーの第１実施形態の構成を示す斜視図、図２はその使用態様を示す斜視図である。この取り付け用カバー１１は、図５に示した構成の電源トランス１を、コンデンサ１２、抵抗１３、ＩＣ１４等を実装したプリント回路板１５に取り付けるのに用いるもので、電源トランス１の固定用平坦部３を有する両側に亘ってケース２の上部に係合する上部係合部２１と、この上部係合部２１の両端部にそれぞれ連結され、プリント回路板１５に接する底部平坦部２２が、電源トランス１の固定用平坦部３を有する側面よりも幅の広い台形状の二つの側面部２３とを有する。これら上部係合部２１、底部平坦部２２および側面部２３は、例えば、金属板等のプレス加工により一体に形成する。なお、上部係合部２１には、ケース２の上部を覆うように、リード側面方向の端部に折り曲げ部２１ａを形成する。
【００１３】
また、各側面部２３の底部平坦部２２は、折り曲げ構造をもって構成し、その下面には電源トランス１の対応する側の固定用平坦部３が係合するように切り欠いて凹部２４を形成すると共に、各凹部２４の上面には、対応する固定用平坦部３に形成された貫通孔５（図５参照）に連通するようにネジ穴２５を形成する。なお、この実施形態では、凹部２４の上面に形成したネジ穴２５を中心として、その両側にもそれぞれネジ穴２５を形成する。
【００１４】
このようにして、電源トランス１をプリント回路板１５に取り付けるにあたっては、先ず、複数のリードピン６をプリント回路板１５の所定のスルーホールに挿入し、取り付け用カバー１１の上部係合部２１を、電源トランス１のケース２の上部に係合させると共に、各凹部２４をケース２の対応する側の固定用平坦部３に係合させる。その状態で、凹部２４のネジ穴２５に貫通孔５（図５参照）およびプリント回路板１５を通して固定用ネジ２６を挿入し、また他のネジ穴２５にはプリント回路板１５を通して固定用ネジ２６を挿入して、これら固定用ネジ２６を、例えばプリント回路板１５の裏面においてナットに螺合させたり、あるいはプリント回路板１５を固定する端末装置本体部２７に形成した雌ねじ部に螺合させることにより、電源トランス１をプリント回路板１５にネジ止めする。なお、リードピン６は、プリント回路板１５の所定の配線パターン２８のランド部２９に半田付けする。
【００１５】
この実施形態によれば、電源トランス１の上部において、リード配列方向に延在するケース２を覆うように、取り付け用カバー１１の上部係合部２１を係合させるようにすると共に、取り付け用カバー１１の両側面部２３を、プリント回路板１５に接する底部平坦部２２が、電源トランス１のリード配列方向の側面よりも幅の広い台形状にして、各底部平坦部２２の下面の凹部２４にケース２の対応する固定用平坦部３を係合させて、各底部平坦部２２を凹部２４を含む３箇所でプリント回路板１５にネジ止めするようにしたので、電源トランス１をプリント回路板１５に確実に固定することができる。また、プリント回路板１５に接する底部平坦部２２は、リード側面方向に延在するので、パターン配線にほとんど影響を与えることもない。さらに、端末装置の落下等の衝撃により、リード側面方向に負荷がかかっても、その負荷は台形状の両側面部２３において幅の広い底部平坦部２２全体に分散され、局部的に作用しないので、リードピン６の半田付け部分や底部平坦部２２の固定部分でプリント回路板１５に割れが生じることがない。したがって、配線パターン２８の断線やリードピン６の電源トランス１からの断線を有効に防止でき、電源トランス１を常に安定した固定状態に維持することができる。
【００１６】
図３は、この発明に係る大型部品の取り付け用カバーの第２実施形態の構成を示す斜視図、図４はその使用態様を示す斜視図である。この取り付け用カバー３１は、図１に示す取り付け用カバー１１において、各底部平坦部２２に形成するネジ穴２５を、凹部２４の上面の一箇所としたものである。
【００１７】
この実施形態においても、台形状の両側面部２３の幅の広い底部平坦部２２をプリント回路板１５に有効に密着して固定することができるので、端末装置の落下等の衝撃により、リード側面方向に負荷がかかっても、その負荷を分散することができる。したがって、第１実施形態におけると同様に、リードピン６の半田付け部分や底部平坦部２２の固定部分でプリント回路板１５に割れが生じることがないので、配線パターン２８の断線やリードピン６の電源トランス１からの断線を有効に防止でき、電源トランス１を常に安定した固定状態に維持することができる。また、プリント回路板１５に接する底部平坦部２２は、リード側面方向に延在するので、プリント回路板１５のパターン配線にほとんど影響を与えることもない。さらに、各底部平坦部２２に一個のネジ穴２５を形成すればよいので、作業工数や使用する固定用ネジ２６の材料費を削減できる利点がある。
【００１８】
なお、この発明は、上述した実施形態にのみ限定されるものではなく、幾多の変形または変更が可能である。例えば、台形状の両側面部２３の底部平坦部２２の幅は、必ずしも対向する電源トランス１の側面の幅よりも広くする必要はなく、ケース２の固定用平坦部３の幅よりも広くすればよい。また、この発明は、電源トランスに限らず、プリント回路板に実装する他の大型部品の取り付け用カバーにも有効に適用することができる。
【００１９】
【発明の効果】
この発明によれば、大型部品の底部両側に外方に突出して設けられている固定用平坦部を、取り付け用カバーの幅の広い底部平坦部において共締めするようにして、大型部品をプリント回路板に取り付けるようにしたので、プリント回路板のパターン配線にほとんど影響を与えることなく、しかも端末装置の落下等の衝撃により大型部品に負荷が作用しても、プリント回路板の破損、パターンの断線、および大型部品自体の破損を生じることなく、大型部品を安定して取り付けることができる。
【図面の簡単な説明】
【図１】この発明に係る大型部品の取り付け用カバーの第１実施形態の構成を示す斜視図である。
【図２】図１に示す取り付け用カバーの使用態様を示す斜視図である。
【図３】この発明に係る大型部品の取り付け用カバーの第２実施形態の構成を示す斜視図である。
【図４】図２に示す取り付け用カバーの使用態様を示す斜視図である。
【図５】電源トランスの従来の取り付け態様の一例を示す図である。
【図６】従来の問題点を説明するための図である。
【図７】電源トランスの従来の取り付け態様の他の例を示す図である。
【符号の説明】
１  電源トランス
２  ケース
３  固定用平坦部
４  固定用ネジ
５  貫通孔
６  リードピン
１１，３１  取り付け用カバー
１５  プリント回路板
２１  上部係合部
２１ａ  折り曲げ部
２２  底部平坦部
２３  側面部
２４  凹部
２５  ネジ穴
２６  固定用ネジ
２７  端末装置本体部
２８  配線パターン
２９  ランド部
【図１】
0003583602.tif 000002
【図２】
0003583602.tif 000003
【図３】
0003583602.tif 000004
【図４】
0003583602.tif 000005
【図５】
0003583602.tif 000006
【図６】
0003583602.tif 000007
【図７】
0003583602.tif 000008